(57)【要約】【課題】受光素子を光ピックアップ基部に接合した後は、温度等の環境変化や経年変化に関わらず、受光素子の取り付け位置の位置ずれを防止することができる光ピックアップ装置を提供する。【解決手段】本発明に係る光ピックアップ装置は、光ディスクからの反射光を外部に通過させる開口部が形成された光ピックアップ基部と、開口部を通過した反射光を電気信号に変換する略方形板形状の受光素子と、受光素子を、その側面を囲むように保持すると共に、受光素子の受光面が開口部を臨むように開口部の周囲の外壁に接して取り付けられるホルダと、を備え、光ピックアップ基部とホルダは、ホルダが外壁に平行な第１の軸に沿ってスライド可能に形成され、ホルダは、受光素子が、外壁に垂直な第２の軸と第１の軸に直交し外壁に平行な第３の軸に沿って、スライド可能に形成された、ことを特徴とする。【選択図】  図４
2008112526.tif 000002
【特許請求の範囲】
【請求項１】
少なくとも、レーザ光を発生する発光素子、発生した前記レーザ光を光ディスクの記録面に集光する対物レンズ、及び前記対物レンズを介して導光される前記光ディスクからの反射光を集光する集光レンズを実装し、前記集光された反射光を外部に通過させる開口部が形成された光ピックアップ基部と、
前記開口部を通過した反射光を電気信号に変換する略方形板形状の受光素子と、
前記受光素子を、その側面を囲むように保持すると共に、前記受光素子の受光面が前記開口部を臨むように前記開口部の周囲の外壁に接して取り付けられるホルダと、
を備え、
前記光ピックアップ基部と前記ホルダは、前記ホルダが前記外壁に平行な第１の軸に沿って所定の範囲でスライドできるように形成され、
前記ホルダは、前記受光素子が、前記外壁に垂直な第２の軸と前記第１の軸に直交し前記外壁に平行な第３の軸の夫々の軸に沿って、所定の範囲でスライドできるように形成された、
ことを特徴とする光ピックアップ装置。
【請求項２】
前記光ピックアップ基部には、
前記開口部の周囲の外壁の一端から前記光ピックアップ基部の内部方向に延出する突起部が形成され、
前記ホルダには、
前記突起部と勘合する第１の方形開口と、
前記受光素子がその中に配設される第２の方形開口と、
が形成されたことを特徴とする請求項１に記載の光ピックアップ装置。
【請求項３】
前記第１の軸方向において、前記第１の方形開口の長さは、前記突起部の長さより所定のマージン分だけ大きく形成され、前記ホルダは前記第１の軸に沿って前記マージンの範囲でスライドでき、
前記第２の軸方向において、前記第１の方形開口の長さは、前記突起部の長さと略同一となるように形成され、前記ホルダの前記第２の軸方向の移動を拘束する、
ことを特徴とする請求項２に記載の光ピックアップ装置。
【請求項４】
前記第３の軸方向において、前記第２の方形開口の長さは、前記受光素子の長さより所定のマージン分だけ大きく形成され、前記受光素子は前記第３の軸に沿って前記所定のマージンの範囲でスライドできると共に、前記受光素子は前記第２の軸に沿ってスライドでき、
前記第１の軸方向において、前記第２の方形開口の長さは、前記受光素子の長さと略同一となる用に形成され、前記受光素子の前記第１の軸方向における前記ホルダに対する移動を拘束する、
ことを特徴とする請求項２に記載の光ピックアップ装置。
【請求項５】
前記ホルダと前記受光素子の位置が、前記第１乃至第３の軸方向のスライドによって最適な位置に調整された後、
前記ホルダは、前記光ピックアップ基部の前記外壁と接着剤で固定され、
前記受光素子は、前記ホルダと接着剤で固定される、
ことを特徴とする請求項１に記載の光ピックアップ装置。
【請求項６】
光ディスクを回転させる回転駆動部と、
前記光ディスクにレーザ光を照射すると共に、前記光ディスクからの反射光を電気信号として出力する光ピックアップ装置と、
前記光ピックアップ装置を前記光ディスクの径方向に移動させるラジアル駆動部と、
前記光ピックアップ装置から出力される電気信号から記録データを再生する再生処理部と、
を備え、
前記光ピックアップ装置は、
少なくとも、レーザ光を発生する発光素子、発生した前記レーザ光を光ディスクの記録面に集光する対物レンズ、及び前記対物レンズを介して導光される前記光ディスクからの反射光を集光する集光レンズを実装し、前記集光された反射光を外部に通過させる開口部が形成された光ピックアップ基部と、
前記開口部を通過した反射光を電気信号に変換する略方形板形状の受光素子と、
前記受光素子を、その側面を囲むように保持すると共に、前記受光素子の受光面が前記開口部を臨むように前記開口部の周囲の外壁に接して取り付けられるホルダと、
を備え、
前記光ピックアップ基部と前記ホルダは、前記ホルダが前記外壁に平行な第１の軸に沿って所定の範囲でスライドできるように形成され、
前記ホルダは、前記受光素子が、前記外壁に垂直な第２の軸と前記第１の軸に直交し前記外壁に平行な第３の軸の夫々の軸に沿って、所定の範囲でスライドできるように形成された、
ことを特徴とする光ディスク装置。
【請求項７】
前記光ピックアップ基部には、
前記開口部の周囲の外壁の一端から前記光ピックアップ基部の内部方向に延出する突起部が形成され、
前記ホルダには、
前記突起部と勘合する第１の方形開口と、
前記受光素子がその中に配設される第２の方形開口と、
が形成されたことを特徴とする請求項６に記載の光ディスク装置。
【請求項８】
前記第１の軸方向において、前記第１の方形開口の長さは、前記突起部の長さより所定のマージン分だけ大きく形成され、前記ホルダは前記第１の軸に沿って前記マージンの範囲でスライドでき、
前記第２の軸方向において、前記第１の方形開口の長さは、前記突起部の長さと略同一となるように形成され、前記ホルダの前記第２の軸方向の移動を拘束する、
ことを特徴とする請求項７に記載の光ディスク装置。
【請求項９】
前記第３の軸方向において、前記第２の方形開口の長さは、前記受光素子の長さより所定のマージン分だけ大きく形成され、前記受光素子は前記第３の軸に沿って前記所定のマージンの範囲でスライドできると共に、前記受光素子は前記第２の軸に沿ってスライドでき、
前記第１の軸方向において、前記第２の方形開口の長さは、前記受光素子の長さと略同一となる用に形成され、前記受光素子の前記第１の軸方向における前記ホルダに対する移動を拘束する、
ことを特徴とする請求項７に記載の光ディスク装置。
【請求項１０】
前記ホルダと前記受光素子の位置が、前記第１乃至第３の軸方向のスライドによって最適な位置に調整された後、
前記ホルダは、前記光ピックアップ基部の前記外壁と接着剤で固定され、
前記受光素子は、前記ホルダと接着剤で固定される、
ことを特徴とする請求項６に記載の光ディスク装置。
【発明の詳細な説明】
【技術分野】
【０００１】
本発明は、光ピックアップ装置及び光ディスク装置に係り、特に、光ディスクに対してレーザ光を照射しその反射光を検出する光ピックアップ装置、及びその光ピックアップ装置を内蔵する光ディスク装置に関する。
【背景技術】
【０００２】
今日、光ディスク装置は各種の情報処理装置や映像音声機器等に広く用いられている。光ディスク装置は光ピックアップ装置を内蔵しており、スピンドルモータで光ディスクを回転させると共に光ピックアップ装置を光ディスクの径方向に駆動している。
【０００３】
光ピックアップ装置には、レーザ光を発生する半導体レーザ、レーザ光を集光し光ディスクの記録面にフォーカシングさせる対物レンズ、光ディスクからの反射光を集光する集光レンズ、集光した反射光を電気信号に変換する受光素子が設けられている。また、光ピックアップ装置には、半導体レーザで発生したレーザ光を対物レンズまでに導き、逆に、光ディスクからの反射光を対物レンズから受光素子に導くための光学系部品が設けられている。
【０００４】
これらの構成品は、光ピックアップ装置の構造フレームである光ピックアップ基部に固定され、或いは収容されている。
【０００５】
光ディスクの記録および再生においては、対物レンズの光軸が光ディスクの記録面に対して垂直になるように設定すると共に、対物レンズの焦点が光ディスクの記録面に正確に位置するように設定することが重要である。
【０００６】
また、集光レンズの光軸が受光素子の受光面に対して垂直になるように設定すると共に、集光レンズの焦点が受光素子の受光面に正確に位置するように設定することも同様に重要である。
【０００７】
このため、光ピックアップ装置の各構成品を光ピックアップ基部に取り付ける際には高い精度が要求される。また、一旦これらの各構成品を取り付けた後にも、温度等の環境変化や使用時間の経過等によって各構成品の取り付け位置が変化しないようにする必要がある。
【０００８】
特許文献１には、この目的を実現するための技術の１つが開示されている。特許文献１が開示する技術は、光ピックアップ装置の筐体内に収容されるアクチュエータの取り付け技術に関するものであり、アクチュエータが熱膨張した場合であっても、アクチュエータがこれを収容する筐体の側壁を押し広げる力を低減し、結果的に筐体内に収容されている各構成品の位置ずれを低減するというものである。
【特許文献１】特開２００６−１２７５８６号公報
【発明の開示】
【発明が解決しようとする課題】
【０００９】
ところで、受光素子を光ピックアップ基部に接合する場合、接着剤を用いて接着する方法が従来から用いられている。
【００１０】
具体的には、まず、接着前の受光素子を適宜の冶工具で掴み、受光素子の最適取り付け位置を調整する。この際、実際にレーザ光を受光しつつ受光素子の出力信号をモニタしながら最適取り付け位置を探し決定する。この状態を保持しつつ、受光素子の例えば４隅に速乾硬化性の接着剤、例えばＵＶ接着剤を付着し硬化させる。
【００１１】
従来から用いられているこの方法は、簡便な方法ではあるものの、受光素子の４隅と光ピックアップ基部の外壁表面との間に介在する接着剤を受光素子の支持構造体として利用する形態である。
【００１２】
このため、温度等の環境変化や経年変化によって、接着剤が膨張又は収縮し、或いは残留応力等の影響を受け、受光素子を接着した当初は最適であった取り付け位置が最適な状態からずれてしまう場合が生じる。
【００１３】
本発明は、上記事情に鑑みてなされたものであり、受光素子を光ピックアップ基部に接合した後は、温度等の環境変化や経年変化に関わらず、受光素子の取り付け位置の位置ずれを防止することができる光ピックアップ装置及び光ディスク装置を提供することを目的とする。
【課題を解決するための手段】
【００１４】
上記課題を解決するため、本発明に係る光ピックアップ装置は、請求項１に記載したように、少なくとも、レーザ光を発生する発光素子、発生した前記レーザ光を光ディスクの記録面に集光する対物レンズ、及び前記対物レンズを介して導光される前記光ディスクからの反射光を集光する集光レンズを実装し、前記集光された反射光を外部に通過させる開口部が形成された光ピックアップ基部と、前記開口部を通過した反射光を電気信号に変換する略方形板形状の受光素子と、前記受光素子を、その側面を囲むように保持すると共に、前記受光素子の受光面が前記開口部を臨むように前記開口部の周囲の外壁に接して取り付けられるホルダと、を備え、前記光ピックアップ基部と前記ホルダは、前記ホルダが前記外壁に平行な第１の軸に沿って所定の範囲でスライドできるように形成され、前記ホルダは、前記受光素子が、前記外壁に垂直な第２の軸と前記第１の軸に直交し前記外壁に平行な第３の軸の夫々の軸に沿って、所定の範囲でスライドできるように形成された、ことを特徴とする。
【００１５】
また、上記課題を解決するため、本発明に係る光ディスク装置は、請求項６に記載したように、光ディスクを回転させる回転駆動部と、前記光ディスクにレーザ光を照射すると共に、前記光ディスクからの反射光を電気信号として出力する光ピックアップ装置と、前記光ピックアップ装置を前記光ディスクの径方向に移動させるラジアル駆動部と、前記光ピックアップ装置から出力される電気信号から記録データを再生する再生処理部と、を備え、前記光ピックアップ装置は、少なくとも、レーザ光を発生する発光素子、発生した前記レーザ光を光ディスクの記録面に集光する対物レンズ、及び前記対物レンズを介して導光される前記光ディスクからの反射光を集光する集光レンズを実装し、前記集光された反射光を外部に通過させる開口部が形成された光ピックアップ基部と、前記開口部を通過した反射光を電気信号に変換する略方形板形状の受光素子と、前記受光素子を、その側面を囲むように保持すると共に、前記受光素子の受光面が前記開口部を臨むように前記開口部の周囲の外壁に接して取り付けられるホルダと、を備え、前記光ピックアップ基部と前記ホルダは、前記ホルダが前記外壁に平行な第１の軸に沿って所定の範囲でスライドできるように形成され、前記ホルダは、前記受光素子が、前記外壁に垂直な第２の軸と前記第１の軸に直交し前記外壁に平行な第３の軸の夫々の軸に沿って、所定の範囲でスライドできるように形成された、ことを特徴とする。
【発明の効果】
【００１６】
本発明に係る光ピックアップ装置及び光ディスク装置によれば、受光素子を光ピックアップ基部に接合した後は、温度等の環境変化や経年変化に関わらず、受光素子の取り付け位置の位置ずれを防止することができる。
【発明を実施するための最良の形態】
【００１７】
本発明に係る光ピックアップ装置及び光ディスク装置の一実施形態について、添付図面を参照して説明する。
【００１８】
（１）光ディスク装置および光ピックアップ装置の構造
図１は、本発明の一実施形態に係る光ディスク装置１の外観例を示す平面図である。光ディスク装置１は、略正方形状の薄型のケース２に各種構成品を収容しており、ケース２は、パーソナルコンピュータ等の情報処理装置や各種映像音声機器に収容可能に構成されている。
【００１９】
光ディスク装置１は、回転駆動部(図示せず)を有しており、光ディスク１００を再生或いは記録するときには、光ディスク装置１の中央部にある中央凸部６に光ディスクの中央穴を勘合し、光ディスク１００を高速で回転させる。
【００２０】
また、光ディスク装置１は、光ピックアップ装置３を内蔵しており、光ピックアップ装置３のほぼ中央部に設けられている対物レンズ４５からレーザ光が光ディスク１００の記録面に照射される。
【００２１】
光ディスク装置１は、スクリューシャフト４や送りモータ５等からなるラジアル駆動部を有しており、光ピックアップ装置３はこのラジアル駆動部によって光ディスク１００のラジアル方向に駆動される。
【００２２】
図２及び図３は、光ディスク装置１から本実施形態に係る光ピックアップ装置３だけを取り出してその外観例を示した図である。図２は、光ディスク１００の記録面に対向する面（以下、表面という）から見た光ピックアップ装置３の外観例を示す平面図であり、図３はその反対面から見た光ピックアップ装置３の外観例を示す底面図である。
【００２３】
光ピックアップ装置３の全体形状は、ほぼ光ピックアップ基部３０の形状によって定まっている。光ピックアップ基部３０は、光ピックアップ装置３の構造部材として機能するほか、アクチュエータ４０、発光素子５０、受光素子６０や、その他光学系部品を実装している。光ピックアップ基部３０は、例えば、アルミニウム等の軽量金属で形成され、光ディスク１００のラジアル方向に対する高速移動を可能としている。
【００２４】
図２に示したように、光ピックアップ基部３０の中央部から上部にかけての領域には、アクチュエータ４０が配設されている。アクチュエータ４０は、固定部４１、可動部４３を有しており、固定部４１から延出する複数のサスペンションワイヤ４２によって可動部４３を中空上に保持している。
【００２５】
アクチュエータ４０の詳細な構造の説明は省略するが、固定部４１と可動部４３とは複数の位置で互いに対向する磁石とコイルを具備している。コイルに流す電流値を制御することによりコイルの電流と磁石の磁束によって生じる電磁力を制御し、この電磁力により、固定部４１に対する相対的な可動部４３の位置を変位させている。この結果、可動部４３の先端部に固定されている対物レンズ４５の位置を光ディスク１００の記録面に対して微小に変位させることが可能となり、フォーカス方向（記録面に垂直な方向）やトラッキング方向（光ディスク１００の径方向）のサーボ動作を実現している。
【００２６】
光ピックアップ基部３０の図２において右端近傍には、発光素子５０が固定されている。発光素子５０は、例えばレーザ半導体素子であり、光ディスク装置１から出力される駆動電流に応じた強度でレーザ光を発光させる。
【００２７】
発光素子５０から出力されたレーザ光は、図３の照射光経路２０１に示したように、第１のプリズム８０、第２のプリズム８１の通過後、ミラー８２によって光路を対物レンズ４５の方向に偏向され、さらに対置上げミラー８２によって光ディスク１００の記録面方向に偏向される。その後、対物レンズ４５を通り、レーザ光の焦点が光ディスク１００の記録面に位置するようにフォーカシングされる。
【００２８】
一方、光ピックアップ基部３０の図２或いは図３において下方には、受光素子６０がホルダ７０を介して固定されている。受光素子６０は、例えばフォトダイオード等を備えて構成されており反射光を電気信号に変換する。
【００２９】
光ディスク１００の記録面から反射されたレーザ光は、照射光経路２０１と逆の経路である反射光経路２０２に沿って伝播し、第２のプリズム８２によって受光素子６０の方向に偏向される。その後、集光レンズ（図示せず）で集光された後、受光素子６０の受光面に達する。
【００３０】
受光素子６０の受光面は複数の区域に分割されており、これら複数の区域から出力される電気信号に基づいて、フォーカスエラー信号やトラッキングエラー信号等が光ディスク装置１にて生成さる。アクチュエータ４０は、これらのフォーカスエラー信号やトラッキングエラー信号等に基づいて制御される。
【００３１】
また、受光素子６０から出力される電気信号は、光ディスク装置１が具備する再生処理部（図示せず）に入力され、ここで光ディスク１００に記録されたデータの再生処理が行われる。
【００３２】
（２）受光素子の取り付け構造
受光素子６０の取り付け位置は、光ディスク装置１の性能を確保する上で非常に重要である。受光素子６０の取り付け位置が不適切であると、光ディスク１００の再生信号の品質が劣化するだけでなく、アクチュエータ４０のフォーカスサーボ動作やトラッキングサーボ動作に対する動作不良の原因となる。
【００３３】
このため、受光素子６０を光ピックアップ基部３０に取り付ける際には高い精度が要求される。具体的には、まず、取り付け前の受光素子６０を適宜の冶工具で掴み、受光素子６０の最適取り付け位置を調整する。この際、実際にレーザ光を受光しつつ受光素子６０の出力信号をモニタしながら最適取り付け位置を探し決定する。最適取り付け位置が決定された後は、この状態を保持しつつ、受光素子６０を速乾硬化性の接着剤、例えばＵＶ接着剤を用いて接着し固定する。
【００３４】
図４は、本実施形態に係る受光素子６０の取り付け構造例を示す分解斜視図であり、光ピックアップ基部３０から、ホルダ７０及び受光素子６０が取り外された状態で示している。
【００３５】
光ピックアップ基部３０の外周の一部には、反射光を外部に出力するための開口部３１が設けられている。この開口部３１に受光素子６０の受光面６１が対向するように受光素子６０が取り付けられる。
【００３６】
なお、図４に示したように、受光素子６０の背面（受光面６０と反対側の面）には、反射光が変換された電気信号を取り出すための複数の電極６２が設けられており、これらの電極６２に接続されるフレキシブルケーブル(図示せず)等によって、変換された電気信号は光ディスク装置１の再生処理部等へ出力されている。
【００３７】
本実施形態における受光素子６０の取り付け構造及び取り付け方法は、受光素子６０を開口部３０の周囲の外壁３２に直接接着するのではなく、ホルダ７０を介して固定する点に特徴がある。即ち、受光素子６０とホルダ７０とを互いに接着剤等で固定する一方、ホルダ７０と光ピックアップ基部３０の外壁３２とを接着剤等で固定する形態としている。また、ホルダ７０は外壁３２の上部に設けられている突起部３３に勘合するように取り付けられる形態としている。
【００３８】
受光素子６０のこのような取り付け構造の作用効果は後述するが、その前に従来から通常用いられている受光素子６０の取り付け構造及び取り付け方法について簡単に説明する。
【００３９】
図１１（ａ）、（ｂ）は、受光素子６０（図１１では、受光素子６０にフレキシブルケーブルの一部が接続されている）の従来の取り付け構造、及び取り付け方法の一例を示す図である。
【００４０】
受光素子６０は、最適取り付け位置の決定後、例えばＵＶ硬化性の接着剤４００ａ、４００ｂ、４００ｃ、及び４００ｄを受光素子６０の４隅に充填する。接着剤の硬化により、受光素子６０は開口部３１の周囲の外壁３２に固定される。受光素子６０と外壁３２との間には硬化した接着剤４００ａ、４００ｂ、４００ｃ、及び４００ｄが受光素子６０の支持構造体として介在し、受光素子６０と外壁３２との間には間隙Ｇが存在する。
【００４１】
従来のこのような取り付け構造及び取り付け方法では、受光素子６０を取り付けた直後では最適取り付け位置が確保できるものの、時間の経過や環境の変化によって取り付け位置や取り付け角度が変化しやすい。支持構造体としての接着剤４００ａ、４００ｂ、４００ｃ、及び４００ｄは温度等の影響で膨張又は収縮し、或いは残留応力等の影響を受ける。その結果、受光素子６０を接着した当初は最適であった取り付け位置や取り付け角度が最適な状態からずれてしまう場合が生じる。
【００４２】
図４に示した本実施形態に係る受光素子６０の取り付け構造は、このような問題を防止する上で有効である。
【００４３】
図５は、図４に示した取り付け構造を詳細に説明する分解斜視図である。図５には互いに直交する３軸の座標系も併せて定義している。図５に示した受光素子６０の厚みの方向を奥行き方向Ｄ（第２の軸の方向）、受光素子６０の幅の方向を幅方向Ｗ（第１の軸の方向）、および受光素子６０の高さの方向を高さ方向Ｈ（第３の軸の方向）としている。以下の説明では、この座標系の定義に従って説明する。
【００４４】
光ピックアップ基部３０の開口部３１の上部には、外壁３２の上縁から光ピックアップ基部３０の内部に向かって突起部３３が延出している。突起部３３の寸法は、奥行き方向にＤ１，幅方向にＷ１であり、光ピックアップ基部３０と一体的に、例えばアルミニウム等の軽金属で形成されている。
【００４５】
ホルダ７０は、額縁状の四角枠部材を高さ方向の途中で奥行き方向に直角に折り曲げた形状をなしており、奥行き方向に延びる上枠部７３と高さ方向に延びる下枠部７４とから構成されている。
【００４６】
上枠部７３は、３つの上枠７０ｄ、７０ｅ、及び７０ｆによって第１の方形開口７１を形成している。また、下枠部７４は、３つの下枠７０ａ、７０ｂ、及び７０ｃによって第２の方形開口７２を形成している。
【００４７】
ホルダ７０を光ピックアップ基部３０に取り付けるときには、第１の方形開口７１と光ピックアップ基部３０の突起部３３とが互いに勘合するように取り付ける。
【００４８】
第１の方形開口７１の寸法は、奥行き方向の長さをＤ２，幅方向の長さをＷ２とすると、奥行き方向の長さＤ２と突起部３３部の奥行き方向の長さＤ１がほぼ同じとなるように形成されている（即ち、Ｄ２＝Ｄ１）。
【００４９】
この結果、ホルダ７０の第１の方形開口７１を突起部３３に嵌め込んで取り付けた後は、奥行き方向の移動は拘束され、ホルダ７０の奥行き方向の取り付け位置は光ピックアップ基部３０に対して変動しなくなる。
【００５０】
一方、第１の方形開口７１の幅方向の長さＷ２は、突起部３３部の幅方向の長さＷ１に対して所定のマージンｍ１だけ長く形成されている（即ち、Ｗ２＝Ｗ１＋ｍ１＞Ｗ１）。
【００５１】
このため、ホルダ７０の第１の方形開口７１を突起部３３に嵌め込んで取り付けた後も幅方向に対してマージンｍ１の範囲でスライド可能となる。
【００５２】
また、突起部３３部と第１の方形開口７１とが勘合すると、外壁３２やその上部の表面とホルダ７０の上枠７０ｄ、７０ｅや下枠７０ａ、７０ｂの対向する面とが互いに密着するため、ホルダ７０の姿勢角（取り付け角度）も光ピックアップ基部３０に対して変動しなくなる。
【００５３】
他方、ホルダ７０の第２の方形開口７２の幅方向の長さＷ２（第１の方形開口７１の幅方向の長さＷ２と同じ）は、受光素子６０の幅方向の長さＷ３とほぼ同じとなるように形成されている（即ち、Ｗ２＝Ｗ３）。
【００５４】
また、ホルダ７０の第２の方形開口７２の高さ方向の長さＨ２は、受光素子６０の高さ方向の長さＨ３に対して所定のマージンｍ２だけ長く形成されている（即ち、Ｈ２＝Ｈ３＋ｍ２＞Ｈ３）。
【００５５】
この結果、ホルダ７０の第２の方形開口７２に受光素子６０を嵌め込んで取り付けた後は、受光素子６０の幅方向の移動は拘束され、受光素子６０の幅方向の取り付け位置はホルダ７０に対して変動しなくなる。その一方、高さ方向に対してはスライド可能であり、受光素子６０はホルダ７０に対してマージンｍ２の範囲で平行移動が可能である。
【００５６】
また、受光素子６０は、第２の方形開口７２に嵌め込まれた後も、ホルダ７０の奥行き方向に対してはスライド可能であり、ホルダ７０の下枠７０ａ、７０ｂ、７０ｃの奥行き方向の長さの範囲Ｄ４で平行移動が可能である。
【００５７】
なお、この場合も、受光素子６０の側面とホルダ７０の下枠７０ａ、７０ｂの内面とが互いに密着されることになるため、受光素子６０の姿勢角（取り付け角度）もホルダ７０に対して変動しなくなる。
【００５８】
ホルダ７０の材質は特に限定するものではないが、光ピックアップ基部３０と同じ軽量金属、例えばアルミニウムで形成してもよい。
【００５９】
図６乃至図８は、受光素子６０の取り付け位置の調整方法を説明する図である。いずれの場合も、図示しない冶工具等でホルダ７０及び受光素子６０を保持しつつ移動させ、受光素子６０から出力される電気信号をモニタしながら最適取り付け位置を決定していく。
【００６０】
図６（ａ）乃至（ｃ）は、ホルダ７０を光ピックアップ基部３０の突起部３３に勘合させ、さらに受光素子６０をホルダ７０の第２の方形開口７２に勘合させた後、受光素子６０を高さ方向に調整している様子を示している。図６（ａ）は、受光素子６０が高さ方向のほぼ中央部に位置する状態を示しており、図６（ｂ）と図６（ｃ）は、受光素子６０をホルダ７０に対して高さ方向の正の方向と負の方向にそれぞれスライドさせている状態を示している。
【００６１】
図７（ａ）乃至（ｃ）は、受光素子６０を奥行き方向に調整している様子を示している。図７（ａ）は、受光素子６０が奥行き方向のほぼ中央部に位置する状態を示しており、図７（ｂ）と図７（ｃ）は、受光素子６０をホルダ７０に対して奥行き方向の正の方向と負の方向にそれぞれスライドさせている状態を示している。
【００６２】
図６（ａ）乃至（ｃ）及び図７（ａ）乃至（ｃ）における高さ方向の調整と奥行き方向の調整では、ホルダ７０を光ピックアップ基部３０に対して固定した状態で、受光素子６０を高さ方向と奥行き方向にスライドさせて取り付け位置を調整している。これに対して、受光素子６０を幅方向に調整する場合は、図８（ａ）乃至（ｃ）に示したように、受光素子６０とホルダ７０との相対位置は固定し、ホルダ７０を光ピックアップ基部３０に対してスライドさせる。
【００６３】
図８（ａ）は、ホルダ７０が幅方向のほぼ中央部に位置する状態を示しており、図８（ｂ）と図８（ｃ）は、ホルダ７０を光ピックアップ基部３０に対して幅方向の正の方向と負の方向にそれぞれスライドさせている状態を示している。
【００６４】
このよう、受光素子６０を３軸方向にスライドさせることによって最適な取り付け位置が探し出され決定される。
【００６５】
受光素子６０の最適取り付け位置が決定された後は、ホルダ７０及び受光素子６０の光ピックアップ基部３０に対する取り付け位置を接着剤等で固定する。
【００６６】
図９は、最適取り付け位置が定まった状態での接着前の状態を例示する図である。これに対して図１０は、接着剤を用いて接着させた後の状態を示す図である。
【００６７】
速乾硬化性の接着剤、例えばＵＶ接着剤９０ａ、９０ｂを、ホルダ７０の下枠７０ａ、７０ｂが外壁３２と接触する２点に付着させる。また、ＵＶ接着剤９１ａ、９１ｂを、ホルダ７０の下枠７０ａ、７０ｂが受光素子６０の側面と接触する２点に付着させる。これら４点の接着により、受光素子６０を、ホルダ７０を介して光ピックアップ基部３０に固定することができる。なお、接着剤の付着点の数や位置は、図１０の例に限定されるものではない。
【００６８】
本実施形態に係る取り付け構造（図１０）と、従来の取り付け構造（図１１）とを比較すると、従来の取り付け構造では、接着剤が受光素子６０の支持構造体として機能しているのに対して、本実施形態における受光素子６０の支持構造体は、アルミニウム等で形成されるホルダ７０となっている。本実施形態における接着剤は、ホルダ７０や受光素子６０が３軸方向のスライドによって調整された後、温度変化等による微小なスライドによる変位を防止することが主な目的であり、接着剤を支持構造体として機能させるものではない。
【００６９】
このため、接着後の時間経過や温度変化等によって、仮に接着剤に膨張、収縮等が発生したとしても直接受光素子６０の取り付け位置や取り付け角度の変位をもたらすことはなく、長時間に亘って安定した光ディスク装置の性能を維持することができる。
【００７０】
また、受光素子６０の最適位置調整の際に、受光素子６０の移動方向が互いに直交する３軸方向に限定されるため、安定した精度の高い調整が可能となる。
【００７１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７２】
【図１】本発明の一実施形態に係る光ディスク装置の外観例を示す平面図。
【図２】本発明の一実施形態に係る光ピックアップ装置の外観例を示す平面図。
【図３】本発明の一実施形態に係る光ピックアップ装置の外観例を示す底面図。
【図４】受光素子の取り付け構造を説明する分解斜視図。
【図５】受光素子の取り付け構造の詳細を説明する分解斜視図。
【図６】受光素子の取り付け位置の調整方法（高さ方向）を説明する図。
【図７】受光素子の取り付け位置の調整方法（奥行き方向）を説明する図。
【図８】受光素子の取り付け位置の調整方法（幅方向）を説明する図。
【図９】受光素子の固定方法を説明する接着前の図。
【図１０】受光素子の固定方法を説明する接着後の図。
【図１１】受光素子の従来の取り付け構造、取り付け方法を説明する図。
【符号の説明】
【００７３】
１  光ディスク装置
３  光ピックアップ装置
３０  光ピックアップ基部
３１  開口部
３２  外壁
３３  突起部
４０  アクチュエータ
４５  対物レンズ
５０  発光素子
６０  受光素子
７０  ホルダ
７１  第１の方形開口
７２  第２の方形開口
【図１】
2008112526.tif 000003
【図２】
2008112526.tif 000004
【図３】
2008112526.tif 000005
【図４】
2008112526.tif 000006
【図５】
2008112526.tif 000007
【図６】
2008112526.tif 000008
【図７】
2008112526.tif 000009
【図８】
2008112526.tif 000010
【図９】
2008112526.tif 000011
【図１０】
2008112526.tif 000012
【図１１】
2008112526.tif 000013